【事件の表示】
　特願２００４−１６８６５５「残響信号付加装置」拒絶査定不服審判事件〔平成１７年１２月１５日出願公開、特開２００５−３４５９７９〕について、次のとおり審決する。
【結　論】
　本件審判の請求は、成り立たない。
【理　由】
第１　手続の経緯
　本願は、平成１６年６月７日の出願であって、平成２０年４月２４日付けの拒絶理由通知に対して同年７月３日付けで手続補正がなされたが、同年７月１６日付けで拒絶査定がなされ、これに対し、同年８月２１日に拒絶査定不服審判が請求されるとともに、同年９月１８日付けで手続補正（以下、「本件補正」という。）がなされたものである。
　
第２　平成２０年９月１８日付けの手続補正についての補正却下の決定
〔補正却下の決定の結論〕
　平成２０年９月１８日付けの手続補正を却下する。
　
〔理由〕
１．本件補正前及び本件補正後の本願発明
　本件補正は、特許請求の範囲及び明細書についてするもので、このうち特許請求の範囲については、補正前（平成２０年７月３日付け手続補正）に、
「【請求項１】
　同じ入力信号に異なる残響音の信号を付加して出力する複数の残響付加手段と、該複数の残響付加手段を選択的に切り替えて入力信号を供給する供給手段と、該供給手段が前記入力信号の供給先の残響付加手段を切り替えた際に、該切り替え前に前記供給手段が選択した残響付加手段の該切り替え時における未出力信号と、該切り替えによって前記供給手段が選択した残響付加手段の出力信号とを時間軸を揃えて加算する加算手段とを備えることを特徴とする残響信号付加装置。
　　【請求項２】
　同じ入力信号から異なる残響音の信号を生成するための複数の残響特性を選択的に切り替えて入力信号に畳み込んで残響音の信号を生成する残響音生成手段と、該残響音生成手段の生成した前記残響音の信号および前記入力信号を蓄積すると共に、前記残響音生成手段が前記残響特性を切り替えた際に、該切り替え前に前記残響音生成手段が選択した残響特性により生成され既に蓄積している残響音の信号および入力信号と、該切り替えによって前記残響音生成手段が選択した残響特性により生成した残響音の信号および入力信号とを時間軸を揃えて加算して再蓄積する蓄積加算手段とを備えることを特徴とする残響信号付加装置。
　　【請求項３】
　コンピュータを、同じ入力信号に異なる残響音の信号を付加して出力する複数の残響付加手段と、該複数の残響付加手段を選択的に切り替えて入力信号を供給する供給手段と、該供給手段が前記入力信号の供給先の残響付加手段を切り替えた際に、該切り替え前に前記供給手段が選択した残響付加手段の該切り替え時における未出力信号と、該切り替えによって前記供給手段が選択した残響付加手段の出力信号とを時間軸を揃えて加算する加算手段として機能させるためのプログラム。
　　【請求項４】
　コンピュータを、同じ入力信号から異なる残響音の信号を生成するための複数の残響特性を選択的に切り替えて入力信号に畳み込んで残響音の信号を生成する残響音生成手段と、該残響音生成手段の生成した前記残響音の信号および前記入力信号を蓄積すると共に、前記残響音生成手段が前記残響特性を切り替えた際に、該切り替え前に前記残響音生成手段が選択した残響特性により生成され既に蓄積している残響音の信号および入力信号と、該切り替えによって前記残響音生成手段が選択した残響特性により生成した残響音の信号および入力信号とを時間軸を揃えて加算して再蓄積する蓄積加算手段として機能させるためのプログラム。」
とあったものを、補正後（平成２０年９月１８日付け手続補正）に、
「【請求項１】
　同じ入力信号に異なる残響音の信号を付加して出力する複数の残響付加手段と、該複数の残響付加手段を選択的に切り替えて入力信号を供給する供給手段と、該供給手段が前記入力信号の供給先の残響付加手段を切り替えた際に、該切り替え前に前記供給手段が選択した残響付加手段の該切り替え時における未出力信号と、該切り替えによって前記供給手段が選択した残響付加手段の出力信号とを各信号レベルを維持しながら時間軸を揃えて加算する加算手段とを備えることを特徴とする残響信号付加装置。
　　【請求項２】
　同じ入力信号から異なる残響音の信号を生成するための複数の残響特性を選択的に切り替えて入力信号に畳み込んで残響音の信号を生成する残響音生成手段と、該残響音生成手段の生成した前記残響音の信号および前記入力信号を蓄積すると共に、前記残響音生成手段が前記残響特性を切り替えた際に、該切り替え前に前記残響音生成手段が選択した残響特性により生成され既に蓄積している残響音の信号および入力信号と、該切り替えによって前記残響音生成手段が選択した残響特性により生成した残響音の信号および入力信号とを各信号レベルを維持しながら時間軸を揃えて加算して再蓄積する蓄積加算手段とを備えることを特徴とする残響信号付加装置。
　　【請求項３】
　コンピュータを、同じ入力信号に異なる残響音の信号を付加して出力する複数の残響付加手段と、該複数の残響付加手段を選択的に切り替えて入力信号を供給する供給手段と、該供給手段が前記入力信号の供給先の残響付加手段を切り替えた際に、該切り替え前に前記供給手段が選択した残響付加手段の該切り替え時における未出力信号と、該切り替えによって前記供給手段が選択した残響付加手段の出力信号とを各信号レベルを維持しながら時間軸を揃えて加算する加算手段として機能させるためのプログラム。
　　【請求項４】
　コンピュータを、同じ入力信号から異なる残響音の信号を生成するための複数の残響特性を選択的に切り替えて入力信号に畳み込んで残響音の信号を生成する残響音生成手段と、該残響音生成手段の生成した前記残響音の信号および前記入力信号を蓄積すると共に、前記残響音生成手段が前記残響特性を切り替えた際に、該切り替え前に前記残響音生成手段が選択した残響特性により生成され既に蓄積している残響音の信号および入力信号と、該切り替えによって前記残響音生成手段が選択した残響特性により生成した残響音の信号および入力信号とを各信号レベルを維持しながら時間軸を揃えて加算して再蓄積する蓄積加算手段として機能させるためのプログラム。」
と補正しようとするものである。
　
　すると、本件補正は、本件補正前の請求項１及び３に記載した発明を特定するために必要な事項である「加算手段」と本件補正前の請求項２及び４に記載した発明を特定するために必要な事項である「蓄積加算手段」とにおける「時間軸を揃えて加算」に関して「各信号レベルを維持しながら」という限定を付加するものであって、本件補正前の請求項に記載された発明と、本件補正後の請求項に記載された発明との産業上の利用分野及び解決しようとする課題が同一であるものであるから、本件補正は、平成１８年法律第５５号改正附則第３条第１項によりなお従前の例によるとされる同法による改正前の特許法（以下、「平成１８年改正前特許法」という。）第１７条の２第４項第２号の特許請求の範囲の減縮を目的とするものに該当する。
　
　そこで、本件補正後における特許請求の範囲に記載されている事項により特定される発明が特許出願の際独立して特許を受けることができるものであるか（平成１８年改正前特許法第１７条の２第５項において準用する同法第１２６条第５項に規定する要件を満たすか）否かを、請求項１に係る発明（以下、「本願補正発明」という。）について以下に検討する。 
　
２．刊行物の記載事項
＜刊行物１＞
　原査定の拒絶の理由に引用された、本願出願前に頒布された刊行物である特開平４−３４３６００号公報（以下、「刊行物１」という。）には、図面とともに以下の技術事項が記載されている。
　
（ア）「【０００１】
　　【産業上の利用分野】
　この発明は、サラウンド・プロセッサなどに適用される残響装置に関するものである。」
　
（イ）「【００２２】
　　【実施例】
　以下、この発明の一実施例を図面について説明する。
　図１はこの発明の一実施例による残響装置の構成を示すブロック図であり、同図において、１はＣＤなどの音楽再生器、２〜５は残響音付加方式を切り換える第１〜第４のスイッチ、６はパラメータ制御手段となるパラメータコントローラで、上記第１〜第４のスイッチ２〜５の切り換えに応じて、各残響音付加方式のパラメータを制御する。７はゲインコントローラで、上記第１〜第４のスイッチ２〜５の切り換えに応じて、各残響音付加方式のゲインをコントロールする。
　　　【００２３】
　８は初期反射音生成器で、音楽ソースに接続され上記パラメータコントローラ６によりパラメータがコントロールされる。９は残響音生成器で、音楽ソースに接続され上記パラメータコントローラ６によりパラメータがコントロールされる。１０は間接音生成器で、音楽ソースに接続され上記パラメータコントローラ６によりパラメータがコントロールされる。１１〜１４は上記ゲインコントローラ７によりゲインコントロールされる増幅器であり、以上の初期反射音生成器８、残響音生成器９、間接音生成器１０および増幅器１１〜１４により、第１、第２および第３の残響音付加手段が構成されている。１５は上記増幅器１１〜１４の出力に接続された加算器、１６はその加算器１５の出力端子である。
　　　【００２４】
　つぎに、上記構成の動作について説明する。音楽再生器１で音楽ソースを再生して得られる音楽信号は、初期反射音生成器８に入力され、仮想している部屋に対応したディレイ時間と壁の反射率に対応した音量レベルにして出力される。これは、初期反射音を模擬したものであり、複数本の模擬反射音を出力する。このとき仮想している部屋の大きさと壁の反射率はスイッチ２〜５の中から選択したスイッチに応じてパラメータコントローラ６により制御される。
　　　【００２５】
　上記初期反射音生成器８から出力された複数本の模擬反射音は増幅器１１に入力され直接音との混合比に応じて増幅される。この増幅器１１の増幅率は上記スイッチ２〜５の中から選択したスイッチに応じてゲインコントローラ７により制御され、その出力は加算器１５に入力され直接音に加算される。
　　　【００２６】
　また、音楽再生器１で音楽ソースを再生して得られる音楽信号は、残響音生成器９にも入力され、仮想している部屋の大きさと壁の反射率に応じた減衰器（図示せず）を通して累積加算させることにより、高次反射音を模擬する。この残響音生成器９から出力された模擬残響音は増幅器１２に入力され直接音との混合比に応じて増幅される。この増幅器１２の増幅率は上記スイッチ２〜５の中から選択したスイッチに応じてゲインコントローラ７により制御され、その出力は加算器１５に入力され直接音に加算される。
　　　【００２７】
　さらに、音楽再生器１で音楽ソースを再生して得られる音楽信号は、間接音生成器１０にも入力され、仮想している部屋の壁の反射率に応じて間接音成分のレベルを増幅する。この間接音生成器１０からの出力信号は増幅器１３に入力され直接音との混合比に応じて増幅される。この増幅器１３の増幅率は上記スイッチ２〜５の中から選択したスイッチに応じてゲインコントローラ７により制御され、その出力は加算器１５に入力され直接音に加算される。
　　　【００２８】
　一方、音楽再生器１の出力信号である直接音は、増幅器１４で増幅されて加算器１５に入力される。そして、スイッチ２〜５の選択によって直接音に加算される残響音付加方式の種類と混合比が任意に選択される。例えば、スイッチ２は初期反射音方式の混合比を大きくし、スイッチ３は残響音方式の混合比を大きくし、スイッチ４は間接音方式の混合比を大きくし、またスイッチ５は３つの方式の混合比を同じくらいにする。これにより、スイッチ２〜５の選択によって、音楽ソースに最適の方式を任意に選ぶことができる。」
　
（ウ）「【００３４】
　図３はこの発明のさらに別の実施例による残響装置の構成を示すブロック図であり、同図において、１，６，８〜１０，１５，１６は図１に示す実施例と同一の構成要素であるため、同一の符号を付して、それらの説明を省略する。
　　　【００３５】
　図３において、４４〜４７は音楽ソースのジャンルを設定する第１〜第４のスイッチ、３８〜４１は残響の効果量を設定する第１〜第４のスイッチ、４３は上記スイッチ４４〜４７に応じて制御信号を出力するサラウンド方式コントローラ、４２はそのサラウンド方式コントローラ４３によって切り換えられるスイッチである。
　　　【００３６】
　つぎに、上記図３の構成の動作について説明する。音楽再生器１により音楽ソースを再生して得られた音楽信号は加算器１５に入力される。また、残響の効果量を設定する第１〜第４のスイッチ３８〜４１の選択によってそれぞれの残響音付加方式のレベルと残響時間とをパラメータコントローラ６により制御して加算器１５に入力する。これによって、狭い部屋で聞いている感じや広い部屋で聞いている感じをつくりだす。
　　　【００３７】
　さらに、音楽ソースのジャンルを設定する第１〜第４のスイッチ４４〜４７を選択することで、その選択されたスイッチに応じてサラウンド方式コントローラ４３およびスイッチ４２を制御して、初期反射音生成器８、残響音生成器９および間接音生成器１０の中から１つあるいは複数の入力と音楽再生器１の出力とを接続し、その接続された残響音付加手段により再生音楽信号から残響音を生成して、それを加算器１５に入力する。これによって、設定された音楽ソースのジャンル別の残響音が付加され出力される。」
　
（エ）「【００４０】
　さらに、上記図３の実施例では、残響音付加手段の切り換えをスイッチ４４〜４７で選択するようにしたが、音楽信号の変化の速さに応じて、残響音付加手段を切り換えるようにしてもよく、図４はそのための構成を示すブロック図であり、同図において、１，６，８〜１０，１５，１６，３８〜４３は図３に示す実施例と同一の構成要素であるため、該当部分に同一の符号を付して、それらの説明を省略する。
　　　【００４１】
　図４において、３１は音楽再生器１の出力信号を遅らせる遅延回路、３２および３５は絶対値回路で、上記音楽再生器１の出力信号の大きさを出力する。３３は絶対値回路３２の出力に接続されたＬＰＦ、３４および３６はＬＰＦ３３の出力および絶対値回路３５の出力にそれぞれ接続されたピークホールド回路、３７は両ピークホールド回路３４，３６に接続された割算器である。
　　　【００４２】
　つぎに、上記図４の構成の動作について説明する。絶対値回路３２に入力された音楽信号はＬＰＦ３３に入力されて、変化が緩やかなほど大きいレベルを出力する。このＬＰＦ３３の出力の最大値をピークホールド回路３４が検出し保持しておく。一方、絶対値回路３５は音楽再生器１の出力信号の大きさを出力し、ピークホールド回路３６がその最大値を検出し保持している。ここで、ピークホールド回路３４の出力をＶ1 、ピークホールド回路３６の出力をＶ2 とし、割算器３７で（Ｖ1 ／Ｖ2 ）を計算し、その（Ｖ1 ／Ｖ2 ）が０に近いほど音楽信号の変化が速いことを示している。
　　　【００４３】
　変化の速い音楽信号は、初期反射音を多く混合すると、二度打ち感が目立つので、間接音と残響音をより多く混合する。また、（Ｖ1 ／Ｖ2 ）が１に近づくと、音楽信号の変化が緩やかなことを示しており、この場合は、残響音だけでは効果がわかりにくいので、初期反射音を多く混合する。なお、上記遅延回路３１はぉんがく信号の速さに応じた残響効果に設定後、残響音を付加するために機能するものである。」
　
　上記（ア）ないし（エ）の記載事項を総合勘案すると、刊行物１には、次の発明（以下、「刊行物１発明」という。）が開示されていると認められる。
　
「それぞれが第１、第２および第３の残響音付加手段を構成する手段であって、
　音楽再生器１で音楽ソースを再生して得られる音楽信号を、初期反射音を模擬した複数本の模擬反射音であって、仮想している部屋に対応したディレイ時間と壁の反射率に対応した音量レベルにして出力する初期反射音生成器８と、
　上記音楽再生器１で上記音楽ソースを再生して得られる上記音楽信号を、仮想している部屋の大きさと壁の反射率に応じた減衰器を通して累積加算させることにより、高次反射音を模擬して出力する残響音生成器９と、
　上記音楽再生器１で上記音楽ソースを再生して得られる上記音楽信号を、仮想している部屋の壁の反射率に応じて間接音成分のレベルを増幅して出力する間接音生成器１０とを有し、
　音楽信号の変化の速さに応じて、上記第１、第２および第３の残響音付加手段を選択して切り換えるスイッチ４２と、
　上記第１、第２および第３の残響音付加手段の出力と上記音楽再生器１により音楽ソースを再生して得られた音楽信号とを加算する加算器１５とを備える残響装置。」
　
３．対比
　本願補正発明を、刊行物１発明と比較する。
　
（ア）刊行物１発明における「音楽再生器１で音楽ソースを再生して得られる音楽信号」は、本願補正発明における「入力信号」に相当する。
　
（イ）刊行物１発明において「それぞれが第１、第２および第３の残響音付加手段を構成する手段であって、音楽再生器１で音楽ソースを再生して得られる音楽信号を、初期反射音を模擬した複数本の模擬反射音であって、仮想している部屋に対応したディレイ時間と壁の反射率に対応した音量レベルにして出力する初期反射音生成器８と、上記音楽再生器１で上記音楽ソースを再生して得られる上記音楽信号を、仮想している部屋の大きさと壁の反射率に応じた減衰器を通して累積加算させることにより、高次反射音を模擬して出力する残響音生成器９と、上記音楽再生器１で上記音楽ソースを再生して得られる上記音楽信号を、仮想している部屋の壁の反射率に応じて間接音成分のレベルを増幅して出力する間接音生成器１０」それぞれからの出力は、「加算器１５」において「音楽再生器１により音楽ソースを再生して得られた音楽信号」と加算されることによって、上記「第１、第２および第３の残響音付加手段」で発生した残響音を入力信号に付加している。
　それに対して、本願補正発明では、「同じ入力信号に異なる残響音の信号を付加して出力する複数の残響付加手段」を備えており、上記「残響付加手段」では、発生した残響音を入力信号に付加して出力している。
　してみると、上記刊行物１発明における「それぞれが第１、第２および第３の残響音付加手段を構成する手段であって、音楽再生器１で音楽ソースを再生して得られる音楽信号を、初期反射音を模擬した複数本の模擬反射音であって、仮想している部屋に対応したディレイ時間と壁の反射率に対応した音量レベルにして出力する初期反射音生成器８と、上記音楽再生器１で上記音楽ソースを再生して得られる上記音楽信号を、仮想している部屋の大きさと壁の反射率に応じた減衰器を通して累積加算させることにより、高次反射音を模擬して出力する残響音生成器９と、上記音楽再生器１で上記音楽ソースを再生して得られる上記音楽信号を、仮想している部屋の壁の反射率に応じて間接音成分のレベルを増幅して出力する間接音生成器１０」と本願補正発明における「同じ入力信号に異なる残響音の信号を付加して出力する複数の残響付加手段」とは、“同じ入力信号に付加するための異なる残響音の信号を発生する複数の残響音発生手段”を有する点で一致している。
　
（ウ）刊行物１発明における「音楽信号の変化の速さに応じて、上記第１、第２および第３の残響音付加手段を選択して切り換えるスイッチ４２」は、「上記第１、第２および第３の残響音付加手段を選択して切り換える」ことによって、音楽再生器１で音楽ソースを再生して得られる音楽信号を上記第１、第２および第３の残響音付加手段に供給しているから、本願補正発明における「該複数の残響付加手段を選択的に切り替えて入力信号を供給する供給手段」とは、“該複数の残響音発生手段を選択的に切り替えて入力信号を供給する供給手段”という点で一致している。
　
（エ）刊行物１発明における「上記第１、第２および第３の残響音付加手段の出力と上記音楽再生器１により音楽ソースを再生して得られた音楽信号とを加算する加算器１５」は、「スイッチ４２」が「音楽信号の変化の速さに応じて」切り換えられた際、「加算器１５」では、入力される各信号の時間軸が揃って加算されることは明らかであるから、本願補正発明における「該供給手段が前記入力信号の供給先の残響付加手段を切り替えた際に、該切り替え前に前記供給手段が選択した残響付加手段の該切り替え時における未出力信号と、該切り替えによって前記供給手段が選択した残響付加手段の出力信号とを各信号レベルを維持しながら時間軸を揃えて加算する加算手段」とは、“該供給手段が前記入力信号の供給先の残響音発生手段を切り替えた際に、入力される信号を時間軸を揃えて加算する加算手段”という点で一致している。
　
（オ）刊行物１発明における「残響装置」は、音楽再生器１で音楽ソースを再生して得られる音楽信号に、第１、第２および第３の残響音付加手段からの出力を付加する装置であるから、本願補正発明における「残響信号付加装置」に相当する。
　
　すると、本願補正発明と、刊行物１発明とは、次の点で一致する。
＜一致点＞
　同じ入力信号に付加するための異なる残響音の信号を発生する複数の残響音発生手段と、該複数の残響音発生手段を選択的に切り替えて入力信号を供給する供給手段と、該供給手段が前記入力信号の供給先の残響音発生手段を切り替えた際に、入力される信号を時間軸を揃えて加算する加算手段とを備える残響信号付加装置。
　
　一方で、両者は、次の点で相違する。
＜相違点１＞
　「同じ入力信号に付加するための異なる残響音の信号を発生する複数の残響音発生手段」が、本願補正発明では、当該発生した異なる残響音の信号を同じ入力信号に付加して出力する「複数の残響付加手段」の一部であるのに対し、刊行物１発明では、「同じ入力信号に付加するための異なる残響音の信号を発生」し、当該発生した異なる残響音の信号を同じ入力信号に付加して出力するのは、一つの「加算器１５」である点。
　また、上記相違点があることによって、「供給手段」が入力信号を供給する対象の手段や「加算手段」が加算する信号を発生する手段も、本願補正発明では「複数の残響付加手段」であるのに対し、刊行物１発明では「複数の残響音発生手段」である点。
　
＜相違点２＞
　「該供給手段が前記入力信号の供給先の残響音発生手段を切り替えた際に、入力される信号を時間軸を揃えて加算する加算手段」が、本願補正発明では、「該切り替え前に前記供給手段が選択した残響付加手段の該切り替え時における未出力信号と、該切り替えによって前記供給手段が選択した残響付加手段の出力信号とを各信号レベルを維持しながら時間軸を揃えて加算する」のに対し、刊行物１発明では、「該切り替え前に前記供給手段が選択した残響音発生手段の該切り替え時における未出力信号」をどのように取扱うのか明確でなく、そのため、「該切り替え前に前記供給手段が選択した残響音発生手段の該切り替え時における未出力信号と、該切り替えによって前記供給手段が選択した残響音発生手段の出力信号とを各信号レベルを維持しながら時間軸を揃えて加算する」か否か明確でない点。
　
４．判断
　上記両相違点について検討する。
　
（ア）相違点１について
　残響音発生手段で残響音を発生し、入力信号に付加することは、例えば、実願平４−２２４３９号（実開平５−７３７００号）のＣＤ−ＲＯＭ（図１における加算器４で、入力信号と残響音発生手段２ａが発生した残響音とが加算されている）等に記載されているように周知技術である。
　してみると、刊行物１発明における残響音発生手段で、残響音の発生だけでなく、発生した残響音を入力信号に付加すること、すなわち、残響音発生手段に代えて残響付加手段を設けることは、当業者が適宜なし得ることである。
　
（イ）相違点２について
　刊行物１発明では、供給手段であるスイッチ４２によって残響音発生手段を切り替えるが、切り替える前の残響音発生手段で発生される残響音のうち、未出力の残響音が途中で途切れると違和感のある残響音が発生することは、当然に予測されることである。
　ここで、前項で検討したように、残響音発生手段で入力信号に残響音を付加すること、すなわち、残響音発生手段に代えて残響付加手段を設けることは、当業者が適宜なし得ることであるから、本項においても残響音発生手段に代えて残響付加手段に関して検討を行うことは、自然なことである。
　そして、残響付加手段を切り替えると、切り替える前の残響付加手段での残響音の付加を中止することとなるが、このように残響音の付加を中止する際に、残響音が途中で途切れることを防止するために、残響音を発生する手段への入力のみを遮断し、残響音を発生する手段からの出力を信号レベルを維持しながら継続させることは、例えば、実願平４−２２４３９号（実開平５−７３７００号）のＣＤ−ＲＯＭ（段落【００１５】、【００１９】）等に記載されているように周知技術である。
　してみると、刊行物１発明において、供給手段であるスイッチ４２によって残響音発生手段を切り替え、切り替える前の残響音発生手段による残響音の付加を中止する際に、残響音が途中で途切れることを防止し、違和感のある残響音が発生しないようにするために、上記周知技術のように残響付加手段への入力のみを遮断し、残響付加手段からの出力を信号レベルを維持しながら継続させて加算手段に出力信号を入力することは、当業者が適宜なし得ることである。
　
　そして、上記両相違点を検討しても、残響音を付加する装置という同一の技術分野に属する上記刊行物１発明及び上記周知技術を組み合わせることにより、本願補正発明を構成することは、当業者が容易に想到し得ることであり、その作用効果も当業者が予測し得るものにすぎない。
　したがって、本願補正発明は、刊行物１発明及び周知技術に基づいて当業者が容易に発明をすることができたものであって、特許法第２９条第２項の規定により特許出願の際独立して特許を受けることができないものである。
　
５．本件補正についてのむすび
　以上のとおり、本件補正は平成１８年改正前特許法第１７条の２第５項において準用する同法第１２６条第５項の規定に違反するので、特許法第１５９条第１項において読み替えて準用する同法第５３条第１項の規定により却下すべきものである。
　
第３　本願発明について
１．本願発明
　平成２０年９月１８日付けの手続補正は上記のとおり却下されたので、本願の請求項に係る発明は、平成２０年７月３日付け手続補正書により補正された明細書の特許請求の範囲の請求項１ないし４に記載されたとおりのものであるところ、請求項１に係る発明（以下、「本願発明」という。）は、上記「第２〔理由〕１．」の本件補正前の請求項１として記載したとおりのものである。
　
２．引用例
　原査定の拒絶の理由で引用された引用文献１及びその記載事項は、上記「第２〔理由〕２．」における刊行物１に関して記載したとおりである。
　
３．対比・判断
　本願発明は、上記「第２〔理由〕」で検討した本願補正発明において、「加算手段」における「時間軸を揃えて加算」に関して「各信号レベルを維持しながら」という限定事項を削除したものである。
　
　そうすると、本願発明の構成要件を全て含み、更に他の要件を付加したものである本願補正発明が、前記「第２〔理由〕４．」に記載したとおり、刊行物１に記載された発明及び周知技術に基づいて、当業者が容易に発明をすることができたものであるから、本願発明も、同様の理由により、刊行物１に記載された発明に基づいて当業者が容易に発明をすることができたものである。
　
第４　むすび
　以上のとおり、本願の請求項１に係る発明は、特許法第２９条第２項の規定により特許を受けることができないものである。
　したがって、その余の請求項について論及するまでもなく、本願は、拒絶すべきものである。
　よって、結論のとおり審決する。